(57)【要約】      （修正有）【課題】外周に所定の間隔で複数の宝石が配置された指輪等のアクセサリー構造体を提供する。【解決手段】宝石の平断面最大長さより小さい幅を有する環状ベース部材１と、環状カバー部材５の側面を両側から挟持する２つの環状カバー部材５と、を有するアクセサリー構造体であって、環状ベース部材１の外周面には、宝石を側面側から挿入可能な宝石収納部２が所定の間隔で連続して設けられており、隣接する宝石収納部２の間には山状突起部３が形成され、その頂部には、隣接する両側の宝石収納部２方向へ突出する爪部４が配設され、環状カバー部材５は、宝石の平断面最大長さより小さい開口部６が設けられ、前記宝石収納部２に収納された宝石は、前記爪部４によって上面が上側から保持されるとともに、宝石収納部２から側方へ突出する宝石側面が前記環状カバー部材５の開口部６内に挿嵌されて両側から挟持されているアクセサリー構造体とする。【選択図】図６
2012090694.tif 000002
【特許請求の範囲】
【請求項１】
略均一な形状および大きさの複数の宝石と、
前記宝石の平断面最大長さより小さい幅を有する環状ベース部材と、
環状ベース部材と略等しい内径及び外径を有し、環状カバー部材の側面を両側から挟持する２つの環状カバー部材と、
を有するアクセサリー構造体であって、
環状ベース部材の外周面には、宝石を側面側から挿入可能な宝石収納部が所定の間隔で連続して設けられており、隣接する宝石収納部の間には山状突起部が形成されているとともに、この山状突起部の各々の頂部には、隣接する両側の宝石収納部方向へ突出する爪部が配設され、
環状カバー部材は、環状ベース部材の宝石収納部と対峙する位置に、宝石の平断面最大長さより小さい開口部が設けられ、
前記宝石収納部に収納された宝石は、前記爪部によって上面が上側から保持されるとともに、宝石収納部から側方へ突出する宝石側面が前記環状カバー部材の開口部内に挿嵌されて両側から挟持されていることを特徴とするアクセサリー構造体。
【請求項２】
宝石は、ブリリアントカットが施されており、宝石収納部はＶ字状の切り込みとして形成されていることを特徴とする請求項１のアクセサリー構造体。
【請求項３】
環状ベース部材および環状カバー部材は、透明であることを特徴とする請求項１または２のアクセサリー構造体。
【請求項４】
環状ベース部材および環状カバー部材には、側面を貫通する貫通孔が設けられ、軸部材が環状ベース部材の貫通孔および環状カバー部材の貫通孔に挿入されて、環状ベース部材および環状カバー部材が貫通固定され一体化していることを特徴とする請求項１から３のいずれかのアクセサリー構造体。
【請求項５】
複数の宝石と、２枚の環状ベース板とを有するアクセサリー構造体であって、
環状ベース板の外周面には、宝石の外形よりも一回り小さいＶ字状切り込み部が所定の間隔で連続して設けられており、隣接するＶ字状切り込み部の間には山状突起部が形成されているとともに、この山状突起部の各々の頂部には、隣接する両側のＶ字状切り込み部方向へ突出する爪部が配設され、
対向する２枚の環状ベース板のＶ字状切り込み部の間に宝石の側面の一部が挿嵌されて、宝石が両側から挟持されているとともに、前記爪部によって上面が上側から保持されていることを特徴とするアクセサリー構造体。
【請求項６】
環状ベース板には貫通孔が設けられ、２枚の環状ベース板が貫通孔を連通する軸部材によって連結されていることを特徴とする請求項５のアクセサリー構造体。
【発明の詳細な説明】
【技術分野】
【０００１】
本発明は、アクセサリー構造体に関するものである。
【背景技術】
【０００２】
指輪の製造には鋳造法、ハンドメイド、鍛造製法がある。 現在の主流は鋳造法であり、その中でも「ロストワックス法」と呼ばれる方法が一般的である。例えば、ロストワックス法は、１）作る作品と全く同じ大きさ・形の原型をワックス（ろう）で作る工程、２）原型の外側に耐火性の鋳型を作り、鋳型に溶かした金属を流し込む工程、３）鋳造された作品を鋳型を壊して取り出し表面を仕上げる工程、を経て製造される。
【０００３】
また、指輪の外周に宝石を固定する場合、通常、指輪の外周に設けた爪部を折り曲げることで宝石を上方から固定、保持している。
【発明の概要】
【発明が解決しようとする課題】
【０００４】
しかしながら、爪部の折り曲げによる宝石の固定は、非常に高度な技術が必要であるため、通常、専門技術者に依頼する必要がある。そして、この場合には、時間およびコストを抑制するのが難しいという問題がある。
【０００５】
また、上記のように、指輪は鋳物であることから、焼成による縮み、歪みなどが避けられず、爪部を所望の位置に正確に設けることは容易ではない。このため、指輪の外周囲に複数の宝石を配置する場合、宝石を所定の間隔で正確に配置することは困難であった。特に宝石を等間隔で配置しようとすると、宝石の微妙な位置ずれが目立ちやすいため、商品価値の高い指輪を製造することは容易ではなかった。
【０００６】
本発明は、以上のような事情に鑑みてなされたものであり、外周に所定の間隔で複数の宝石が配置された指輪等のアクセサリー構造体を提供することを課題としている。
【０００７】
なお、先行技術調査の結果、本発明と関連のある技術文献は見出されなかった。
【課題を解決するための手段】
【０００８】
上記の課題を解決するため、本発明のアクセサリー構造体は以下のことを特徴としている。
＜１＞略均一な形状および大きさの複数の宝石と、前記宝石の平断面最大長さより小さい幅を有する環状ベース部材と、環状ベース部材と略等しい内径及び外径を有し、環状カバー部材の側面を両側から挟持する２つの環状カバー部材と、を有するアクセサリー構造体であって、環状ベース部材の外周面には、宝石を側面側から挿入可能な宝石収納部が所定の間隔で連続して設けられており、隣接する宝石収納部の間には山状突起部が形成されているとともに、この山状突起部の各々の頂部には、隣接する両側の宝石収納部方向へ突出する爪部が配設され、環状カバー部材は、環状ベース部材の宝石収納部と対峙する位置に、宝石の平断面最大長さより小さい開口部が設けられ、前記宝石収納部に収納された宝石は、前記爪部によって上面が上側から保持されるとともに、宝石収納部から側方へ突出する宝石側面が前記環状カバー部材の開口部内に挿嵌されて両側から挟持されている。
＜２＞宝石は、ブリリアントカットが施されており、宝石収納部はＶ字状の切り込みとして形成されている。
＜３＞環状ベース部材よび環状カバー部材は、透明である。
＜４＞環状ベース部材および環状カバー部材には、側面を貫通する貫通孔が設けられ、軸部材が環状ベース部材の貫通孔および環状カバー部材の貫通孔に挿入されて、環状ベース部材および環状カバー部材が貫通固定され一体化している。
＜５＞複数の宝石と、２枚の環状ベース板とを有するアクセサリー構造体であって、
環状ベース板の外周面には、宝石の外形よりも一回り小さいＶ字状切り込み部が所定の間隔で連続して設けられており、隣接するＶ字状切り込み部の間には山状突起部が形成されているとともに、この山状突起部の各々の頂部には、隣接する両側のＶ字状切り込み部方向へ突出する爪部が配設され、対向する２枚の環状ベース板のＶ字状切り込み部の間に宝石の側面の一部が挿嵌されて、宝石が両側から挟持されているとともに、前記爪部によって上面が上側から保持されている。
＜６＞環状ベース板には、貫通孔が設けられ、２枚の環状ベース板が貫通孔を連通する軸部材によって連結されている。
【発明の効果】
【０００９】
本発明によれば、環状のアクセサリー構造体において、外周に所定の間隔で複数の宝石を配置することができる。
【図面の簡単な説明】
【００１０】
【図１】本発明のアクセサリー構造体の第１の実施形態における環状ベース部材の一実施形態を例示した側面図である。
【図２】図１に示すＡ部の拡大斜視図である。
【図３】宝石の形状を例示した断面図である。
【図４】本発明のアクセサリー構造体の第１の実施形態における環状カバー部材の一実施形態を例示した平面図である。
【図５】環状ベース部材の一方の側面に環状カバー部材を当接させ、環状ベース部材の宝石収納部に宝石を挿入した状態を例示した側面図である。
【図６】図５のＢ部の拡大斜視図である。
【図７】環状ベース部材の両側面に環状カバー部材を当接させた状態を例示した側面図である。
【図８】本発明のアクセサリー構造体の第１の実施形態を例示した斜視図である。
【図９】本発明のアクセサリー構造体の第２の実施形態を例示した部分拡大斜視図である。
【図１０】本発明のアクセサリー構造体の第２の実施形態を例示した外周面拡大図である。
【発明を実施するための形態】
【００１１】
本発明のアクセサリー構造体の第１の実施形態は、宝石、環状ベース部材および環状カバー部材を有している。
【００１２】
宝石は、例えば、ダイヤモンド、エメラルド、サファイア、ルビー等の天然石、模倣宝石（合成宝石、人造宝石、模造宝石）を適宜使用することができる。
【００１３】
また、宝石の大きさ、形状（カット）は、特に限定されないが、均一な形状、大きさの宝石を複数使用することが好ましい。宝石のカットとしては、例えば、ブリリアントカット等を好ましく例示することができる。
【００１４】
本発明のアクセサリー構造体は、指輪、ブレスレット、イヤリング、ブローチ等のアクセサリーに使用することができる。
【００１５】
図１は、本発明のアクセサリー構造体の第１の実施形態における環状ベース部材の一実施形態を例示した側面図である。図２は、図１に示すＡ部の拡大斜視図である。
【００１６】
環状ベース部材１は透明なものを使用することができる。例えば、指輪に使用する場合には人の指が挿通可能な内径のリング状に設計することができる。また、環状ベース部材１の幅Ｌ（図２）は、宝石（図１、図２において図示していない）の平断面最大長さより小さく設計されている。ここで、「宝石の平断面最大長さ」とは、図３の断面図に例示したように、例えば、ブリリアントカットが施された宝石Ｊにおいては、図中に示した長さＭをいう。
【００１７】
環状ベース部材１の外周面には、宝石収納部２が全周に亘って、等間隔で連続して設けられている。宝石収納部２同士の間隔は、環状ベース部材１の外周面に配置する宝石の間隔を考慮して適宜設計することができる。
【００１８】
具体的には、宝石収納部２は、例えば、ブリリアントカットが施された宝石の形状、大きさに対応させて、断面略Ｖ字状の切り込みとして設けられている。したがって、図２の矢印に例示するように、環状ベース部材１の側面側から宝石収納部２へ宝石を挿入することができる。このため、環状ベース部材１の外周に、所定の間隔で複数の宝石を配置することができる。
【００１９】
そして、隣接する宝石収納部２の間には、山状突起部３が形成されている。この山状突起部３の各々の頂部には、隣接する両側の宝石収納部２方向へ突出する爪部４が配設されている。対向する爪部４の先端同士の間隔Ｎは、宝石の平断面最大長さＭ（図３）よりも小さく設計されている。また、山状突起部３の爪部４は、宝石収納部２に収納された宝石の上面の形状に対応しており、宝石の上面を安定に保持することができるように設計されている。
【００２０】
さらに、環状ベース部材１には、側面を貫通する貫通孔１１が複数箇所に設けられている。
【００２１】
図４は、本発明のアクセサリー構造体の第１の実施形態における環状カバー部材の一実施形態を例示した平面図である。
【００２２】
環状カバー部材５は、環状ベース部材１の側面Ｚ（図１、図２）を両側から挟持する。したがって、一つのアクセサリー構造体は、環状カバー部材５を２つ有している。
【００２３】
環状カバー部材５は、透明の薄厚ドーナツ形状であり、環状ベース部材１と略等しい内径及び外径を有している。すなわち、環状ベース部材１の側面に環状カバー部材５を配置すると、環状ベース部材１の内周縁と環状カバー部材５の内周縁５２が一致し、環状ベース部材１の山状突起部３の先端と環状カバー部材５の外周縁５１の位置が略一致する。
【００２４】
そして、環状カバー部材は、宝石の最大径より小さい開口部６が複数設けられている。この開口部６は、環状ベース部材１の側面Ｚ（図１、図２）に環状カバー部材５を当接させた際に、環状ベース部材１の宝石収納部２と対峙する位置に設けられている。環状カバー部材５の開口部６は、例えば、ブリリアントカットが施された宝石の側面形状に対応させて、横方向に細長の八角形に形成することができる。
【００２５】
環状カバー部材５にも環状ベース部材１の貫通孔１１と同形状の貫通孔５３が設けられている。環状ベース部材１の側面Ｚに環状カバー部材５を当接させた際に、環状ベース部材１の貫通孔１１と環状カバー部材５の貫通孔５３が重なるように、大きさおよび位置が設計されている。この貫通孔１１、５３の形状に対応する軸部材（図示していない）を挿入、固定することで、環状ベース部材１と環状カバー部材５を一体化させることができる。この際、環状ベース部材１と環状カバー部材５の間に、適宜接着剤などを塗布して両者を固定することもできる。
【００２６】
さらに、上記の通り、環状ベース部材１および環状カバー部材５は透明であるため、環状ベース部材１の側面に環状カバー部材５を一体化させても違和感が少なく、アクセサリー構造体としての意匠性に優れている。
【００２７】
図５は、環状ベース部材の一方の側面に環状カバー部材を当接させ、環状ベース部材の宝石収納部に宝石を挿入した状態を例示した側面図である。図６は、図５のＢ部の拡大斜視図である。図５では、一方の側面の環状カバー部材の図示は省略している。
【００２８】
宝石収納部２に収納された宝石Ｊは、環状ベース部材１の爪部４によって上面が上側から保持されている。このため、対向する爪部４の間から外側に宝石Ｊが脱落する恐れがない。また、環状ベース部材１は、宝石の平断面最大長さＭ（図３）より小さい幅Ｌ（図２）で形成されている。このため、宝石収納部２に収納された宝石Ｊの側面は、環状ベース部材１の側面よりも側方へわずかに突出しており、図６に例示するように、側方へ突出する宝石Ｊの側面が環状カバー部材５の開口部６に挿嵌される。
【００２９】
図７は、環状ベース部材の両側面に環状カバー部材を当接させた状態を例示した側面図である。
【００３０】
環状カバー部材５を環状ベース部材１の両側面Ｚに当接させると（図１、図２、図４）、宝石収納部２の内部の宝石Ｊの側面が、両側の環状カバー部材５の開口部６に挿嵌される。このため、宝石Ｊは環状カバー部材５によって両側から安定に挟持され、宝石収納部２の内部での宝石Ｊの動き、位置ずれが抑制されている。
【００３１】
図８は、本発明のアクセサリー構造体の第１の実施形態を例示した斜視図である。
【００３２】
アクセサリー構造体Ｙは、環状カバー部材５の外面に外装部材７を配設することがで、意匠性をさらに向上させることができる。
【００３３】
外装部材７は、例えば、着色プラスチック板や金属板を例示することができ、環状カバー部材５の形状と対応した形状に設計することができる。外装部材７は、例えば、接着剤を使用して環状カバー部材５の表面に固定することもできるし、環状カバー部材５および環状ベース部材２に設けられた貫通孔（図８において図示していない）と同様の貫通孔を対応する位置に設け、上記の軸部材によって、環状カバー部材５および環状ベース部材１とともに貫通、固定させることができる。
【００３４】
アクセサリー構造体Ｙは、環状ベース部材１の外周面に、宝石Ｊを側面側から挿入可能な宝石収納部２が全周に亘って、等間隔で連続して設けられているため、環状ベース部材１の外周に、所定の間隔で複数の宝石Ｊを配置することができる。さらに、宝石収納部２内に収納された宝石Ｊは、山状突起部３の爪部４および環状カバー部材５の開口部６（図４、図５、図６）によって安定に保持されているため、宝石Ｊの脱落や位置ずれなどが抑制されている。
【００３５】
なお、この形態のアクセサリー構造体は、上記形態に限定されることはない。例えば、環状カバー部材、環状ベース部材は、外周形状が必ずしも円形でなくてもよく、四角形、八角形などの多角形に設計されてもよい。また、例えば、このアクセサリー構造体を複数重ねて固定することで、宝石が複数並列したアクセサリーとすることもできる。さらに、環状カバー部材の開口部は、宝石の形状に応じて適宜設計することができ、例えば、楕円形などに設計することもできる。
【００３６】
図９は、本発明のアクセサリー構造体の第２の実施形態を例示した部分拡大斜視図である。図１０は、本発明のアクセサリー構造体の第２の実施形態を例示した外周面拡大図である。
【００３７】
この形態のアクセサリー構造体Ｙは、宝石Ｊと、２枚の環状ベース板８とを有している。２枚の環状ベース板８が対向配置され、この環状ベース板８の間に宝石Ｊが挟持されている。
【００３８】
環状ベース板８は、リング状に設計されている。環状ベース板８の外周面には、Ｖ字状切り込み部９が全周に亘って、等間隔で連続して設けられている。
【００３９】
Ｖ字状切り込み部９の形状は、例えばブリリアントカットが施された宝石Ｊの形状に対応させて設計されており、大きさは、宝石Ｊの外形よりも一回り小さく設計されている。
【００４０】
そして、Ｖ字状切り込み部９同士の間には、複数の山状突起部３１が配設されており、この山状突起部３１の各々の頂部には、隣接するＶ字状切り込み部９方向へ突出する爪部４１が配設されている。
【００４１】
山状突起部３１の爪部４１の形状は、宝石Ｊの上面の形状に対応しており、宝石Ｊの上面を安定に保持することができるように設計されている。また、隣接する爪部４１の先端同士の間隔は、宝石Ｊの平断面最大長さＭ（図２）よりも小さく設計されている。
【００４２】
この形態のアクセサリー構造体Ｙでは、対向する環状ベース板８のＶ字状切り込み部９同士の間に宝石Ｊを挟み込むように２枚の環状ベース板８を接近対峙させると、宝石Ｊの側面の一部がＶ字状切り込み部９に挿嵌され、宝石Ｊが保持される。上記の通り、Ｖ字状切り込み部９は、宝石Ｊの外形よりも一回り小さく設計されているため、対向する環状ベース板８のＶ字状切り込み部９同士の間に安定に挟持される。このとき、Ｖ字状切り込み部９からは、宝石Ｊの側面がわずかに突出した状態となる。
【００４３】
環状ベース板８のＶ字状切り込み部９は所定の間隔で設けられているため、対向する環状ベース板８のＶ字状切り込み部９同士の間に挟持された複数の宝石Ｊは所定の間隔で配置される。さらに、山状突起部３１の各々の頂部に爪部４１が配設されているため、Ｖ字状切り込み部９同士の間に挟持された宝石Ｊは、爪部４１によって上面が上側から保持されている。このため、対向する爪部４１の間から外側に宝石Ｊが脱落する恐れがない。
【００４４】
さらに、２枚の環状ベース板８の各々には、側面を貫通する貫通孔８１が対応する位置に設けられており、この貫通孔８１に軸部材Ｘを挿入することで、２枚の環状ベース板８を中空体として連結することができる。この形態においても、環状ベース板８の表面には外装部材（図示していない）を配設することが可能である。
【００４５】
なお、この形態のアクセサリー構造体は、上記形態に限定されることはない。例えば、環状ベース板の形状、厚さは適宜設計することができる。また、対向する環状ベース板同士の間隔、Ｖ字状切り込み部の形状、山状突起部の爪部の形状などは、保持する宝石の大きさ、形状に等に応じて適宜設計することができる。
【符号の説明】
【００４６】
１  環状ベース部材
２  宝石収納部
３  山状突起部
４  爪部
５  環状カバー部材
６  開口部
８  環状ベース板
９  Ｖ字状切り込み部
３１  山状突起部
４１  爪部
【図１】
2012090694.tif 000003
【図２】
2012090694.tif 000004
【図３】
2012090694.tif 000005
【図４】
2012090694.tif 000006
【図５】
2012090694.tif 000007
【図６】
2012090694.tif 000008
【図７】
2012090694.tif 000009
【図８】
2012090694.tif 000010
【図９】
2012090694.tif 000011
【図１０】
2012090694.tif 000012